(57)【要約】【課題】容易にレンズの偏芯調整を行なうことができるレンズ装置を提供すること。【解決手段】本発明のレンズ装置は、レンズが取り付けられるレンズ枠と、前記レンズ枠と摺動自在に嵌合して当該レンズ枠の移動を軸方向に案内するガイド軸と、前記ガイド軸の先端が挿入されるガイド軸挿入孔を備える偏芯軸受と、前記偏芯軸受を保持する保持部材と、を有し、前記ガイド軸挿入孔の中心軸は、前記偏芯軸受の中心軸に対して偏芯していること、を特徴とする。【選択図】図５
2011048080.tif 000002
【特許請求の範囲】
【請求項１】
レンズが取り付けられるレンズ枠と、
前記レンズ枠と摺動自在に嵌合して当該レンズ枠の移動を軸方向に案内するガイド軸と、
前記ガイド軸の先端が挿入されるガイド軸挿入孔を備える偏芯軸受と、
前記偏芯軸受を保持する保持部材と、を有し、
前記ガイド軸挿入孔の中心軸は、前記偏芯軸受の中心軸に対して偏芯していること、
を特徴とするレンズ装置。
【請求項２】
前記偏芯軸受は、外周部にローレット加工されたローレット部を構成すること、
を特徴とする請求項１のレンズ装置。
【請求項３】
前記保持部材は前記偏芯軸受が圧入される軸受孔を備え、
前記軸受孔は、前記偏芯軸受を圧入した後に当該偏芯軸受が回転可能となる径で形成されていること、
を特徴とする請求項１または２のレンズ装置。
【請求項４】
前記保持部材を覆う外周部材を有し、
前記外周部材は、前記保持部材を覆ったときに前記偏芯軸受に対応する位置に設けられた調整孔を備えること、
を特徴とする請求項１乃至３のいずれか１つのレンズ装置。
【請求項５】
前記レンズは、フォーカスレンズであること、
を特徴とする請求項１乃至４のいずれか１つのレンズ装置。
【発明の詳細な説明】
【技術分野】
【０００１】
本発明はレンズ装置に係り、特にレンズの偏芯調整構造に関する。
【背景技術】
【０００２】
従来、テレビの取材等で使用される持ち運び可能なＥＮＧ(Electronic News Gathering)カメラに用いられるレンズ装置として、インナーフォーカス方式のレンズ装置やリアフォーカス方式のレンズ装置が知られている（特許文献１〜３）。
【０００３】
このようなレンズ装置の可動レンズは、例えば特許文献３に示すように、そのレンズ枠がＶＣＭの動力によって光軸方向のガイド軸に案内されて進退移動することにより、それに連動して光軸方向に進退移動するようになっている。
【先行技術文献】
【特許文献】
【０００４】
【特許文献１】特開平９−２１１３０３号公報
【特許文献２】特開２００７−１４８０２１号公報
【特許文献３】特開２００７−１０２１０６号公報
【発明の概要】
【発明が解決しようとする課題】
【０００５】
このようなレンズ装置の組み立てにおいては、レンズ鏡筒全体の光学性能に大きく寄与するためフォーカスレンズなどの可動レンズの偏芯調整を行う必要がある。
【０００６】
しかしながら、従来では、例えば特許文献３に示すように、可動レンズはレンズ枠の軸受孔に嵌合されたガイド軸に案内されて進退移動することになるため、嵌合されたガイド軸の偏芯状態に左右されてしまい、その偏芯調整は困難であった。
【０００７】
本発明はこのような事情に鑑みてなされたもので、容易にレンズの偏芯調整を行なうことができるレンズ装置を提供すること、を目的とする。
【課題を解決するための手段】
【０００８】
前記目的を達成するために本発明のレンズ装置は、レンズが取り付けられるレンズ枠と、前記レンズ枠と摺動自在に嵌合して当該レンズ枠の移動を軸方向に案内するガイド軸と、前記ガイド軸の先端が挿入されるガイド軸挿入孔を備える偏芯軸受と、前記偏芯軸受を保持する保持部材と、を有し、前記ガイド軸挿入孔の中心軸は、前記偏芯軸受の中心軸に対して偏芯していること、を特徴とする。
【０００９】
本発明によれば、ガイド軸挿入孔の中心軸は偏芯軸受の中心軸に対して偏芯しているので、容易にレンズの偏芯調整を行なうことができる。
【００１０】
本発明の一態様として、前記偏芯軸受は、外周部にローレット加工されたローレット部を構成すること、を特徴とする。
【００１１】
かかる態様によれば、ローレット部に治具を引っ掛けて容易に偏芯軸受を回転させることができる。
【００１２】
本発明の一態様として、前記保持部材は前記偏芯軸受が圧入される軸受孔を備え、前記軸受孔は、前記偏芯軸受を圧入した後に当該偏芯軸受が回転可能となる径で形成されていること、を特徴とする。
【００１３】
かかる態様によれば、軸受孔は偏芯軸受を圧入した後に偏芯軸受が回転可能となる径で形成されているので、偏芯軸受は保持部材から外れにくく、かつ回転させることができる。
【００１４】
本発明の一態様として、前記保持部材を覆う外周部材を有し、前記外周部材は、前記保持部材を覆ったときに前記偏芯軸受に対応する位置に設けられた調整孔を備えること、を特徴とする。
【００１５】
かかる態様によれば、調整孔から容易に偏芯軸受を回転させることができる。
【００１６】
本発明の一態様として、前記レンズは、フォーカスレンズであること、を特徴とする。
【発明の効果】
【００１７】
本発明によれば、容易にレンズの偏芯調整を行なうことができる。
【図面の簡単な説明】
【００１８】
【図１】本発明に係るレンズ装置を側面から見た断面図である。
【図２】後マスターレンズ、レンズ枠、保持枠などの外観斜視図である。
【図３】フォーカスレンズ、ボイスコイルモータ（ＶＣＭ）、レンズ枠、ガイド軸などの外観斜視図である。
【図４】フォーカスレンズの周辺を側面から見たレンズ装置の断面図である。
【図５】図４における偏芯軸受の周辺の拡大断面図である。
【図６】偏芯軸受の断面図である。
【図７】マウント環の周辺の外観斜視図である。
【発明を実施するための形態】
【００１９】
以下、添付図面に従って本発明に係るレンズ装置の実施の形態について説明する。
【００２０】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００２１】
図１において、レンズ装置１のレンズ鏡胴本体は、主として前枠１０、前固定環１２、第１本体環１４、第２本体環１６、後固定環１８、マウント取付枠２０、及びマウント環２２によって略円筒状に構成されている。
【００２２】
第１本体環１４は、レンズ鏡胴本体の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠２０が、マウント取付枠２０の後方にマウント環２２がそれぞれねじにより固定されている。
【００２３】
尚、前枠１０には、レンズフード２４が装着できるようになっている。また、レンズ装置１は、マウント環２２を介してレンズ交換式のカメラ本体に装着される。
【００２４】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００２５】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００２６】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００２７】
従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００２８】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００２９】
虹彩絞り４０は、主としてプラスチック製の地板（絞り枠）５４と、菊座（カム板）５６と、絞り枠５４とカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００３０】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００３１】
前固定環１２の外周部には、第１フォーカスリング７０、及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００３２】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００３３】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。
【００３４】
上記構成のレンズ装置１の側面には、ねじ孔８０、８２を介してグリップ部を兼ねた駆動部（図示せず）が取り付けられる。
【００３５】
駆動部は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００３６】
＜各種の検出手段＞
第１本体環１４の外周面には、光軸方向に沿ってリニアポテンショメータが配設されており、このリニアポテンショメータ（ズームリニアＰＯＴ）は、カム筒４８の回転によりズームレンズ３２が光軸方向に移動すると、その移動位置に対応した位置信号（絶対位置を示す信号）をリード線を介して駆動部に出力する。
【００３７】
カム筒４８の後端面には、Ｎ極、Ｓ極が着磁された磁気リング８４が接着されており、第１本体環１４には、前記磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００３８】
尚、ズームリニアＰＯＴの出力は、電源投入時に使用され、その後は、ズーム位置検出用のＭＲセンサの出力が使用される。
【００３９】
フォーカスレンズ３６のガイド軸に対向する保持枠６２には、フォーカスレンズ位置検出用のＭＲセンサが配設されており、このＭＲセンサは、フォーカスレンズ３６の移動量に対応するパルス数のパルス信号（相対位置を示す信号）をリード線を介して駆動部に出力する。また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００４０】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００４１】
これにより、駆動部は、第１フォーカスリング７０の相対的な回転量を検知することができるとともに、第２フォーカスリング７２の絶対的な回転位置を検知することができる。
【００４２】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００４３】
［レンズ制御］
マウント取付枠２０の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動部に加えられるようになっている。
【００４４】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００４５】
＜フォーカス制御＞
ＡＦ／ＭＦ切替えスイッチによりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００４６】
一方、ＡＦ／ＭＦ切替えスイッチによりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００４７】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００４８】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００４９】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００５０】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００５１】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチの押下によるＡＦモードとを適宜使い分けてフォーカス制御を行うことができる。
【００５２】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００５３】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００５４】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００５５】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００５６】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００５７】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００５８】
即ち、駆動部は、ズーム操作前の現在のズームレンズ３２のズーム位置を、電源投入時のズームリニアＰＯＴの出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００５９】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００６０】
これにより、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００６１】
［実施の形態］
次に、上記構成のレンズ装置１に適用されたレンズの偏芯調整機構について詳述する。
【００６２】
図２は、後マスターレンズ３８、レンズ枠６４、保持枠６２などの外観斜視図である。
図２に示すように、レンズ枠６４は後述する偏芯軸受８８の保持部材であり、レンズ枠６４におけるマウント環２２が位置する側の面に、偏芯軸受８８が保持されている。
【００６３】
図３は、図２の外観斜視図から、後マスターレンズ３８が取り付けられたレンズ枠６４や保持枠６２や偏芯軸受８８などを取り外した状態であり、フォーカスレンズ３６、ボイスコイルモータ（ＶＣＭ）６６、レンズ枠９０、ガイド軸９２などの外観斜視図である。図３に示すように、フォーカスレンズ３６のレンズ枠９０と摺動自在に嵌合したガイド軸９２を挟んで両側に、ボイスコイルモータ（ＶＣＭ）６６が設けられている。
【００６４】
図４は、フォーカスレンズ３６の周辺を側面から見たレンズ装置１の断面図である。なお、図４においては、レンズの光軸調整を行うために、マウント環２２にマウント締め付け環９４によりコリメータ治具９６を取り付けた状態を示している。また、図５は、図４における偏芯軸受８８の周辺の拡大断面図である。
【００６５】
図４に示すように、フォーカスレンズ３６のレンズ枠９０にはガイド軸９２が摺動自在に嵌合されている。そして、フォーカスレンズ３６は、ＶＣＭ６６の動力によって電動で駆動されることによりガイド軸９２に沿って光軸Ｏ方向に移動可能である。
【００６６】
図５に示すように、ガイド軸９２の先端は後マスターレンズ３８のレンズ枠６４の軸受孔９８に挿入され、この軸受孔９８に嵌合されるようにガイド軸９２の先端には略円筒形状の偏芯軸受８８が取り付けられている。また、マウント環２２には、詳しくは後述するように調整孔１１２が設けられている。
【００６７】
フォーカスレンズ３６のガイド軸９２に対向する保持枠６２には、フォーカスレンズ位置検出用のＭＲセンサ１００が取り付けられた基盤１０２が配設されている。このＭＲセンサ１００は、フォーカスレンズ３６の移動量に対応するパルス数のパルス信号（相対位置を示す信号）をリード線を介して駆動部に出力する。
【００６８】
マウント環２２は、後マスターレンズ３８のレンズ枠６４の外周側を覆う外周部材であり、マウント取付枠２０の後方にねじにより固定されている。
【００６９】
マウント締め付け環９４は、レバー１０４で回転させて爪部１０６をマウント環２２のバヨネット爪部１０８に嵌合させることによりマウント環２２に固定され、これによりコリメータ治具９６をレンズ装置１に取り付けることができる。このコリメータ治具９６は、レンズ鏡筒にレンズを組み込んだ後にマウント環２２に取り付け、レンズの結像状態（像質）を観察して解像度のレベルを上げるように光軸調整を行うための治具である。
【００７０】
図６は、偏芯軸受８８の断面図である。図６に示すように、偏芯軸受８８は、レンズ枠６４の軸受孔９８に挿入される部分である挿入部８８Ａと、ローレット加工がなされた部分であるローレット部８８Ｂから構成される。
【００７１】
なお、ローレット部８８Ｂにおける径は、挿入部８８Ａの径およびレンズ枠６４の軸受孔９８の径よりも大きく形成されている。そのため、挿入部８８Ａがレンズ枠６４の軸受孔９８に挿入されたときに、ローレット部８８Ｂはレンズ枠６４の軸受孔９８に挿入されずにレンズ枠６４の面に当接される。
【００７２】
また、偏芯軸受８８のローレット部８８Ｂの光軸Ｏ方向の幅は、マウント環２２をマウント取付枠２０に取り付けた状態で、マウント環２２とレンズ枠６４の間に収まるような幅を有している。これにより、偏芯軸受８８がレンズ枠６４に取り付けられた状態でマウント環２２に接触しないので、偏芯軸受８８を回転させることができる。
【００７３】
また、偏芯軸受８８における挿入部８８Ａの光軸Ｏ方向の幅は、マウント環２２をマウント取付枠２０に取り付けた状態におけるマウント環２２とレンズ枠６４の間の幅よりも大きくすることが望ましい。これにより、偏芯軸受８８の挿入部８８Ａがレンズ枠６４の軸受孔９８から外れようとしてもマウント環２２に当たるので、偏芯軸受８８がレンズ枠６４から外れない。
【００７４】
また、レンズ枠６４の軸受孔９８の径と偏芯軸受８８の挿入部８８Ａの径の寸法関係は、偏芯軸受８８の挿入部８８Ａがレンズ枠６４の軸受孔９８に圧入され、かつ、圧入後に偏芯軸受８８が回転可能となるような寸法関係とすることが望ましい。これにより、偏芯軸受８８はレンズ枠６４から外れにくく、かつ回転させることができる。
【００７５】
また、図６に示すように、偏芯軸受８８には、ガイド軸９２の先端が挿入される孔であるガイド軸挿入孔１１０が設けられている。そして、ガイド軸挿入孔１１０の中心線αの位置は、偏芯軸受８８の中心線βの位置から径方向にずれて偏芯している。そのため、偏芯軸受８８を回転させるとガイド軸挿入孔１１０の中心線が径方向に移動するので、ガイド軸挿入孔１１０に先端が挿入されたガイド軸９２を径方向に偏芯させることができる。
【００７６】
図７は、マウント環２２の周辺の外観斜視図である。図７に示すように、マウント環２２の側面に貫通孔である調整孔１１２が設けられている。この調整孔１１２は、マウント環２２をマウント取付枠２０に取り付けて後マスターレンズ３８のレンズ枠６４の外周側を覆ったときに、偏芯軸受８８に対応する（偏芯軸受８８を覗き込むことができる）位置に設けられている。
【００７７】
そして、調整孔１１２から例えば棒状治具を挿入して、偏芯軸受８８のローレット部８８Ｂに引っ掛けることにより、偏芯軸受８８を回転させることができる。これにより、ガイド軸９２を偏芯させて、フォーカスレンズ３６の偏芯調整を行うことができる。そのため、測定機（ＭＴＦ測定機やコリメータ）上での測定値や像を見ながらガイド軸９２を偏芯させて、フォーカスレンズ３６の偏芯調整を行うことができる。
【００７８】
そして、調整した後は、調整孔１１２から偏芯軸受８８とレンズ枠９０の間に接着剤を流し込んで偏芯軸受８８を固定することで、フォーカスレンズ３６を偏芯調整位置に固定させることができる。
【００７９】
このように本発明においては、ガイド軸９２を偏芯軸受８８を介してレンズ枠６４に保持し固定する前に、調整孔１１２から偏芯軸受８８を回転させてガイド軸９２を偏芯させることにより、容易にフォーカスレンズ３６の偏芯調整を行うことができる。
【００８０】
ここまでフォーカスレンズ３６の偏芯調整について説明したが、レンズはこれに限らず、ズームレンズなどの他のレンズの偏芯調整に適用することも考えられる。
【００８１】
以上、本発明のレンズ装置について詳細に説明したが、本発明は、以上の例には限定されず、本発明の要旨を逸脱しない範囲において、各種の改良や変形を行ってもよいのはもちろんである。
【符号の説明】
【００８２】
１…レンズ装置、２２…マウント環、３６…フォーカスレンズ、６６…ボイスコイルモータ（ＶＣＭ）、８８…偏芯軸受、９０…レンズ枠、９２…ガイド軸、９６…コリメータ治具、９８…軸受孔、１１０…ガイド軸挿入孔、１１２…調整孔
【図１】
2011048080.tif 000003
【図２】
2011048080.tif 000004
【図３】
2011048080.tif 000005
【図４】
2011048080.tif 000006
【図５】
2011048080.tif 000007
【図６】
2011048080.tif 000008
【図７】
2011048080.tif 000009